(57)【要約】【課題】  ハカマ部材を接着あるいは圧入といった手段を用いることなく、さらにハカマ部材を透視可能な材質で形成した場合であってもデザイン的に見苦しいものにはならない棒状化粧品収納容器とする。【解決手段】機構部材と、この機構部材底部の収納筒の側面および底面を覆うように強嵌固定される樹脂材料によって成形されたハカマ部材とから構成される棒状化粧品収納容器において、ハカマ部材内底部には収納筒を固定する固定軸を起立し、収納筒底面は平面状に形成すると共にハカマ部材の固定軸が挿入される固定軸よりもわずかに縮径となる固定穴を形成し、さらに固定穴には収納筒底面が上方へたわむことが可能となる切り欠きを設ける。【選択図】図１
2006218060.tif 000002
【特許請求の範囲】
【請求項１】
収納筒、この収納筒に回動可能ではあるが抜け出し不能に形成された内筒、前記収納筒と内筒を回動させることで内筒内に収納された口紅などの棒状化粧品を内筒上端部より出没可能とする繰り出し機構とから構成させる機構部材と、前記収納筒の側面および底面を覆うように強嵌固定される樹脂材料によって成形されたハカマ部材とから構成される棒状化粧品収納容器において、ハカマ部材内底部には収納筒を固定する固定軸を起立し、収納筒底面は平面状に形成すると共にハカマ部材の固定軸が挿入される固定軸よりもわずかに縮径となる固定穴を形成し、さらに固定穴には収納筒底面が上方へたわむことが可能となる切り欠きを設けたことを特徴とする棒状化粧品収納容器。
【請求項２】
ハカマ部材は収納筒を透視可能な材質で形成されていることを特徴とする請求項１記載の棒状化粧品収納容器。
【請求項３】
ハカマ部材の固定軸および収納筒の固定穴は収納筒とハカマ部材の回動を阻止できる形状に形成されていることを特徴とする請求項１、あるいは請求項２記載の棒状化粧品収納容器。
【発明の詳細な説明】
【技術分野】
【０００１】
本発明は、口紅などの棒状化粧品収納容器に関するものである。
【背景技術】
【０００２】
従来の棒状化粧品収納容器は収納筒、この収納筒に回動可能ではあるが抜け出し不能に形成された内筒、前記収納筒と内筒を回動させることで内筒内に収納された口紅などの棒状化粧品を内筒上端部より出没可能とする繰り出し機構とから構成させる機構部材と、前記収納筒の側面および底面を覆うように強嵌固定される樹脂材料によって成形されたハカマ部材とで構成されていた。
【０００３】
その機構部材とハカマ部材を固定する方法としては接着剤を使用する、あるいは収納筒外面に形成したダボなどによって収納筒をハカマ部材内部に圧入するなどの手段が使用されていた。
【０００４】
しかし、このように構成された従来の棒状化粧品収納容器は樹脂材料のハカマ部材は接着剤を付けるのに手間がかかり、また一般的に樹脂材料は接着剤では付きにくいものであり、後になって分解してしまうという問題があり、また、圧入をした場合にはダボなどによってハカマ部材が押し広げられることになり、ハカマ部材に亀裂ができやすいなどの品質上の欠点があった。さらに、ハカマ部材を透視可能な材質で形成し、収納筒を外部から見えるようなデザインとした場合には接着剤あるいはダボが外部から見えるてしまい、見苦しいものになってしまうのでこのようなデザインとすることは控える、というデザイン的な束縛があるという欠点があった。
【０００５】
この改善策として、実開昭５９−１７８９１５号公報の第１図および第２図に示されるよう固定軸にスリットを入れ、その上部のフランジ部でハカマ部材を固定するというような考えもあるが、この構造では機構部材とハカマ部材を強嵌固定することはできず、分解しやすく品質に問題を残すものである。
【特許文献１】実開昭５９−１７８９１５号公報
【発明の開示】
【発明が解決しようとする課題】
【０００６】
本発明は以上のような従来の欠点に鑑み、接着あるいは圧入といった手段を用いることなく、さらにハカマ部材を透視可能な材質で形成した場合であってもデザイン的に見苦しいものにはならない棒状化粧品収納容器を提供することを目的としている。
【０００７】
本発明の前記ならびにそのほかの目的と新規な特徴は次の説明を添付図面と照らし合わせて読むと、より完全に明らかになるであろう。ただし、図面はもっぱら解説のためのものであって、本発明の範囲を限定するものではない。
【課題を解決するための手段】
【０００８】
上記課題を解決するため、本発明は、接着あるいは圧入といった手段を用いることなく、さらにハカマ部材を透視可能な材質で形成した場合であってもデザイン的に見苦しいものにはならない棒状化粧品収納容器とするため、収納筒、この収納筒に回動可能ではあるが抜け出し不能に形成された内筒、前記収納筒と内筒を回動させることで内筒内に収納された口紅などの棒状化粧品を内筒上端部より出没可能とする繰り出し機構とから構成させる機構部材と、前記収納筒の側面および底面を覆うように強嵌固定される樹脂材料によって成形されたハカマ部材とから構成される棒状化粧品収納容器において、ハカマ部材内底部には収納筒を固定する固定軸を起立し、収納筒底面は平面状に形成すると共にハカマ部材の固定軸が挿入される固定軸よりもわずかに縮径となる固定穴を形成し、さらに固定穴には収納筒底面が上方へたわむことが可能となる切り欠きを設けたことを最も主要な特徴とする。
【発明の効果】
【０００９】
本発明は以上説明したように構成されているので、以下に記載されるような効果を奏する。
【００１０】
（１）樹脂材料のハカマ部材でも接着剤を使用する、あるいは圧入をするということがないので接着剤を使用する手間がかからず、さらに後になって分解してしまう、またはハカマ部材に亀裂ができるということも無く、品質を安定させることができる。
【００１１】
（２）ハカマ部材を透視可能な材質で形成した場合で、収納筒を外部から見えるようなデザインとした場合でも固定軸、および固定穴は側面からは見えない位置にあるので、見苦しいものになることがなく、デザイン的な束縛がない。
【発明を実施するための最良の形態】
【００１２】
棒状化粧品収納容器の機構部材と、ハカマ部材を強嵌固定するという目的を、ハカマ部材内底部には収納筒を固定する固定軸を起立し、収納筒底面は平面状に形成すると共にハカマ部材の固定軸が挿入される固定軸よりもわずかに縮径となる固定穴を形成し、さらに固定穴には収納筒底面が上方へたわむことが可能となる切り欠きを設けたことで実現した。
【実施例１】
【００１３】
以下、図面に示す実施例により本発明を詳細に説明する。
図１ないし図４に示す発明の第１の実施例において、１は機構部材で、この機構部材１は収納筒２と内筒３と繰り出し機構４とから構成されている。
【００１４】
収納筒２は上部に蓋嵌合部６が形成され、底面は平面状に形成されていて、固定穴７が形成されている
【００１５】
内筒３は収納筒２に回動可能ではあるが抜け出し不能に形成され、さらに上端部は棒状化粧品５が出没可能であるように穴８が設けられている。
【００１６】
繰り出し機構４は収納筒２と内筒３を回動させることで内筒３内に収納された口紅などの棒状化粧品５を内筒３上端部より出没可能とする従来から良く知られたものであれば何でも良いが、本説明においては収納筒２に嵌合固定され上部に切り割り溝１０が形成された身部材９と、この身部材９の切り割り溝１０を回動可能ではあるが抜け出し不能に覆い内部にラセン溝１１が形成され外周部は内筒３の内面に固定されるラセン部材１２と、棒状化粧品５を保持し身部材９内に上下移動可能に形成された皿部材１３と、この皿部材１３に形成され身部材９の切り割り溝１０およびラセン部材１２のラセン溝１１と係合する係合ピン１４とから構成されているものについて説明をする。
【００１７】
１５はハカマ部材で、このハカマ部材１５は樹脂材料によって成型されるもので、収納筒２の側面および底面を覆うように収納筒２に強嵌固定される。
【００１８】
１６はハカマ部材１５の底面に起立した固定軸で、この固定軸１６は前記した収納筒２の固定穴７内に挿入されるものである。
【００１９】
前記した収納筒２の固定穴７は固定軸１６よりもわずかに縮径となるように形成され、そのままであれば固定軸１６は固定穴７内部に入り込むことはできないものであるが、収納筒２の底面は平面状に形成されていても、固定穴７に固定軸１６を挿入した際には収納筒２の底面が、固定軸１６によって押し広げられることにより、わずかに上方へたわむことが可能となるように切り欠き１７が複数個固定穴７に連通するように形成されていて、容易に固定軸１６を固定穴７内へ挿入することができる。
【００２０】
このような構造で収納筒２とハカマ部材１５をセットした場合には、収納筒２の底面がわずかに上方へたわむことによって、固定穴７は固定軸１６によってセット以前より若干拡径とされている。仮に、収納筒２とハカマ部材１５を引き抜くような力が作用した場合には固定穴７は固定軸１６に引っ張られるようになり、固定穴７自体は縮径になるように作用する。それによって固定穴７と固定軸１６の嵌合はより強固なものとなり、収納筒２とハカマ部材１５が分解することを防止するように作用する。
【００２１】
１８は収納筒２の上部の蓋嵌合部６と着脱自在に嵌合する蓋である。
【００２２】
このように構成された棒状化粧品収納容器１９はハカマ部材１５の底面に起立した固定軸１６を収納筒２の固定穴７に挿入することで収納筒２とハカマ部材１５を強固に固定することができる。
【実施例２】
【００２３】
次に本発明の異なる実施例につき説明する。なお、これらの説明にあたって前記発明の第１の実施例と同一構成部分には同一符号を付して重複する説明を省略する。
【００２４】
図５および図６に示す発明の第２の実施例において、前記発明の第１の実施例と主に異なる点は、ハカマ部材１５Ａで、このハカマ部材１５Ａはハカマ部材１５Ａの側面から収納筒２を透視できるような透明、あるいは半透明な材質で形成してあるので収納筒２Ａの側面、あるいは収納筒２Ａに画かれた模様２０をハカマ部材１５Ａの側面から見ることができるようになり、収納筒２Ａの側面をデザインの一部として使用できるようになる。さらにこのような構造とした場合、前記の説明のように固定軸１６は収納筒２Ａ内に入ってしまうのでハカマ部材１５Ａの側面からは見えなくなる。それによって接着剤などの従来の固定方法ではできなかったデザインの自由度を良くすることができる。
【実施例３】
【００２５】
図７に示す発明の第３の実施例において、前記発明の第１の実施例と主に異なる点は、収納筒２Ｂに形成された固定穴７Ｂと、ハカマ部材１５Ｂに形成された固形軸１６Ｂで、この固定穴７Ｂと固定軸１６Ｂはそれぞれが対応する丸以外の形状、図の説明では４角形としたもので、このように丸以外の形状とすることで収納筒２Ｂとハカマ部材１５Ｂの回動を防止することができる。図の説明では４角形としたものであるが、４角形以外にも多角形、半月状、星形、十字状などの形状で収納筒２Ｂとハカマ部材１５Ｂの回動を防止することができる形状で有れば何でも良い。
【産業上の利用可能性】
【００２６】
棒状化粧品を収納することができ、サイズを変更することによって、スティックファンデーションなどの他の棒状化粧品収納容器にも適用できる。
【図面の簡単な説明】
【００２７】
【図１】発明の断面説明図である。（実施例１）
【図２】発明の収納筒とハカマ部材をセットする前の断面説明図である。（実施例１）
【図３】発明の収納筒とハカマ部材をセットした状態の主要部の拡大図である。（実施例１）
【図４】発明の収納筒とハカマ部材の一部断面斜視図である。（実施例１）
【図５】発明の収納筒とハカマ部材セット前の斜視図である。（実施例２）
【図６】発明の収納筒とハカマ部材セット後の斜視図である。（実施例２）
【図７】発明の収納筒とハカマ部材の一部断面斜視図である。（実施例３）
【符号の説明】
【００２８】
１    機構部材
２、２Ａ、２Ｂ    収納筒
３    内筒
４    繰り出し機構
５    棒状化粧品
６    蓋嵌合部
７、７Ａ、７Ｂ    固定穴
８    穴
９    身部材
１０    切り割り溝
１１    ラセン溝
１２    ラセン部材
１３    皿部材
１４    係合ピン
１５、１５Ａ、１５Ｂ    ハカマ部材
１６、１６Ａ、１６Ｂ    固定軸
１７    切り欠き
１８    蓋
１９    棒状化粧品収納容器
２０    模様
【図１】
2006218060.tif 000003
【図２】
2006218060.tif 000004
【図３】
2006218060.tif 000005
【図４】
2006218060.tif 000006
【図５】
2006218060.tif 000007
【図６】
2006218060.tif 000008
【図７】
2006218060.tif 000009